(57)【要約】      （修正有）【課題】端子装着部にナットが配設された構造において、ボルト締め端子を端子装着部に簡単に重ね合わせることができると共に、接続ボルトによる固定前の状態で、ボルト締め端子を端子装着部に位置決め保持できる、新規な構造の端子接続構造を提供すること。【解決手段】ボルト締め端子６６を、端子装着部１３に重ね合せて、端子装着部１３のナット３６に螺着される接続ボルト７８によって締め付け固定する端子接続構造において、端子装着部１３に変位規制部３２が設けられており、端子装着部１３に重ね合されたボルト締め端子６６が、ボルト挿通孔７４とねじ穴３８が同一中心軸上に位置決めされた正規取付位置に配設された際には、変位規制部３２に干渉せず、端子装着部１３に重ね合されたボルト締め端子６６が、正規取付位置から変位した際には、変位規制部３２に干渉してボルト締め端子６６の正規取付位置からの変位が規制されるようになっている。【選択図】図４
2016018613.tif 000002
【特許請求の範囲】
【請求項１】
電気回路体に設けられた端子装着部にナットが配設されている一方、電線端末にボルト締め端子が設けられており、前記端子装着部に前記ボルト締め端子を重ね合せて、該ボルト締め端子のボルト挿通孔に挿通される接続ボルトを前記ナットのねじ穴に螺着することにより、前記ボルト締め端子を前記端子装着部に締め付け固定する端子接続構造であって、
前記端子装着部には変位規制部が設けられており、
前記端子装着部に重ね合された前記ボルト締め端子が、前記ボルト挿通孔と前記ねじ穴が同一中心軸上に位置決めされた正規取付位置に配設された際には、前記変位規制部に干渉せず、
前記端子装着部に重ね合された前記ボルト締め端子が、前記正規取付位置から変位した際には、前記変位規制部に干渉して前記ボルト締め端子の前記正規取付位置からの変位が規制されるようになっている
ことを特徴とする端子接続構造。
【請求項２】
前記ボルト締め端子が、前記ボルト挿通孔が設けられて前記端子装着部に重ね合される接続板部と、前記電線端末に圧着される圧着部と、前記接続板部と前記圧着部を連結する連結部とを有しており、前記連結部の前記接続板部側の幅寸法が前記圧着部側の幅寸法よりも大きくされている一方、
前記端子装着部には、前記連結部の幅方向両側に配設される一対の変位規制突部が突設されていると共に、前記一対の変位規制突部の離隔寸法が、前記連結部の前記接続板部側の幅寸法より小さく且つ前記連結部の圧着部側の幅寸法よりも大きくされており、前記一対の変位規制突部によって前記変位規制部が構成されている請求項１に記載の端子接続構造。
【請求項３】
前記端子装着部には、前記連結部の幅方向両側に一対の端子回り止め突起が設けられており、前記一対の変位規制突部が、前記一対の端子回り止め突起の内側対向面にそれぞれ一体的に設けられている請求項２に記載の端子接続構造。
【発明の詳細な説明】
【技術分野】
【０００１】
本発明は、電気回路体に設けられた端子装着部に対して、電線端末に設けられたボルト締め端子をボルト締めにより固定する端子接続構造に関するものである。
【背景技術】
【０００２】
従来から、自動車の電装系に用いられる電気接続箱やヒュージブルリンク等の電気回路体には、電気回路体を構成するバスバー等の導通部材が配設された端子装着部が設けられており、かかる端子装着部に対して電線端末に設けられたボルト締め端子をボルトにより締結固定することで、電気回路体と電線を導通接続する端子接続構造が採用されている。例えば、特開２００１−２３１１３１号公報（特許文献１）には、バスバーが配設された端子装着部に予めスタッドボルトを立設状態で配設し、電線端末のボルト締め端子のボルト挿通孔にスタッドボルトを挿通してスタッドボルトにボルト締め端子を係合した状態でボルト締め端子を端子装着部に装着し、最後にナットをスタッドボルトに締め付け固定する構造が開示されている。
【０００３】
ところで、近年の車載電装品の増加や車両コンパクト化の要求等により、電気回路体の配設スペースが制限され、特許文献１に記載の如く端子装着部に突出高さの大きなスタッドボルトを配設することが困難な場合がある。この場合、例えば、特開２０１１−２２３６９３号公報（特許文献２）に開示されているように、端子装着部に予めナットを収容配置して、ナットのねじ穴にボルト締め端子のボルト挿通孔を位置合わせした状態でボルト締め端子を端子装着部に装着し、最後にスタッドボルトよりも小型の接続ボルトをボルト挿通孔に挿通してナットのねじ穴に締め付け固定する端子接続構造が採用されている。
【０００４】
ところが、特許文献２に開示の端子接続構造では、ナットと接続ボルトの締め付け前の状態で、単に電線端末のボルト締め端子が端子装着部に重ね合わされているだけである。それ故、スタッドボルトにボルト締め端子が係合された特許文献１に開示の端子接続構造に比して、ボルト締め端子の端子装着部からの脱落が生じ易いという問題があった。また、ボルト締め端子のボルト挿通孔とナットのねじ穴が位置合わせされた正規の取付位置からボルト締め端子が変位し易いという問題も内在しており、端子装着部に対するボルト締め端子の固定作業の作業性の悪化を招くおそれがあった。
【０００５】
なお、接続ボルトによる固定前に、ボルト締め端子が端子装着部に嵌合される構造とすることにより、ボルト締め端子と端子装着部を相互に位置決め保持することも考えられる。しかしながら、ボルト締め端子の端子装着部への取付作業に大きな力が必要になって、作業性に悪影響を及ぼすおそれがあった。
【先行技術文献】
【特許文献】
【０００６】
【特許文献１】特開２００１−２３１１３１号公報
【特許文献２】特開２０１１−２２３６９３号公報
【発明の概要】
【発明が解決しようとする課題】
【０００７】
本発明は、上述の事情を背景に為されたものであって、その解決課題は、端子装着部にナットが収容配置されている場合において、ボルト締め端子を端子装着部に簡単に重ね合わせて取り付けることができると共に、ボルト締め端子の端子装着部への固定前の状態で、ボルト締め端子を端子装着部に位置決め保持することができる、新規な構造の端子接続構造を提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。
【０００９】
すなわち、本発明の第一の態様は、電気回路体に設けられた端子装着部にナットが配設されている一方、電線端末にボルト締め端子が設けられており、前記端子装着部に前記ボルト締め端子を重ね合せて、該ボルト締め端子のボルト挿通孔に挿通される接続ボルトを前記ナットのねじ穴に螺着することにより、前記ボルト締め端子を前記端子装着部に締め付け固定する端子接続構造であって、前記端子装着部には変位規制部が設けられており、前記端子装着部に重ね合された前記ボルト締め端子が、前記ボルト挿通孔と前記ねじ穴が同一中心軸上に位置決めされた正規取付位置に配設された際には、前記変位規制部に干渉せず、前記端子装着部に重ね合された前記ボルト締め端子が、前記正規取付位置から変位した際には、前記変位規制部に干渉して前記ボルト締め端子の前記正規取付位置からの変位が規制されるようになっていることを、特徴とする。
【００１０】
本態様によれば、ボルト締め端子が端子装着部の正規取付位置に配設された際には、変位規制部がボルト締め端子に干渉しない。それ故、変位規制部の存在によって、ボルト締め端子の端子装着部への装着作業に余分な労力が必要となることがなく、ボルト締め端子を端子装着部に簡単に重ね合わせることができる。
【００１１】
しかも、ボルト締め端子が端子装着部の正規取付位置から変位した際には、変位規制部がボルト締め端子に干渉してボルト締め端子の変位が規制される。それ故、ナットのねじ穴とボルト締め端子のボルト挿通孔の位置ずれや、ボルト締め端子の端子装着部からの脱落を未然に防止することができる。その結果、ナットが端子装着部に収容配置された構造であっても、ボルト締め端子の端子装着部への固定前の状態で、ボルト締め端子を端子装着部に位置決め保持することが可能となる。
【００１２】
本発明の第二の態様は、第一の態様に記載された端子接続構造であって、前記ボルト締め端子が、前記ボルト挿通孔が設けられて前記端子装着部に重ね合される接続板部と、前記電線端末に圧着される圧着部と、前記接続板部と前記圧着部を連結する連結部とを有しており、前記連結部の前記接続板部側の幅寸法が前記圧着部側の幅寸法よりも大きくされている一方、前記端子装着部には、前記連結部の幅方向両側に配設される一対の変位規制突部が突設されていると共に、前記一対の変位規制突部の離隔寸法が、前記連結部の前記接続板部側の幅寸法より小さく且つ前記連結部の圧着部側の幅寸法よりも大きくされており、前記一対の変位規制突部によって前記変位規制部が構成されているものである。
【００１３】
本態様によれば、一対の変位規制突部の離隔寸法が前記連結部の接続板部側の幅寸法よりも小さくされていることから、電線に引張力が及ぼされてボルト締め端子が端子装着部から離脱する方向に変位した際には、連結部の接続板部側が一対の変位規制突部に当接して干渉する。それ故、ボルト締め端子の端子装着部からの離脱を阻止することができると共に、正規取付位置からの変位量を制限することができる。
【００１４】
しかも、連結部の両側縁部が一対の変位規制突部に当接して干渉することから、当接反力によってボルト締め端子が傾くなどの不具合が回避されて、接続板部が所定の向きで端子装着部に重ね合わされた状態に安定して保持される。加えて、ボルト締め端子の接続板部が端子装着部に対して圧着部側へスライド変位する場合と、接続板部が端子装着部に対して傾動するように離脱変位する場合との何れにおいても、連結部と一対の変位規制突部の当接による変位規制効果が有効に発揮される。
【００１５】
また、一対の変位規制突部の離隔寸法が、連結部の圧着部側の幅寸法よりも大きくされていることから、ボルト締め端子を端子装着部の正規取付位置に配設する際には、一対の変位規制突部がボルト締め端子の連結部に干渉せず、余分な作業力が必要とされることが回避されている。
【００１６】
本発明の第三の態様は、第二の態様に記載された端子接続構造であって、前記端子装着部には、前記連結部の幅方向両側に一対の端子回り止め突起が設けられており、前記一対の変位規制突部が、前記一対の端子回り止め突起の内側対向面にそれぞれ一体的に設けられているものである。
【００１７】
本態様によれば、ボルト締め端子のボルト締結時の回り止めの目的で端子装着部に設けられる一対の端子回り止め突起を利用して、変位規制部を構成する一対の変位規制突部を容易に且つ高い耐久性を確保して設けることができる。特に、ボルト締め端子の形状に合わせて、端子回り止め突起の内側対向面からの変位規制突部の突出量を調節することで、ボルト締め端子の形状違いに応じた変位規制突部を有利に設けることが可能となる。
【発明の効果】
【００１８】
本発明によれば、ボルト締め端子が端子装着部の正規取付位置に配設された状態では、ボルト締め端子が端子装着部に設けられた変位規制部と干渉しないようになっており、ボルト締め端子の端子装着部への装着時に、余分な力を要することなく、容易に重ね合わせて装着することができる。一方、ボルト締め端子が端子装着部の正規取付位置から変位した際には、ボルト締め端子が変位規制部に干渉して、ボルト締め端子の変位が規制されることから、ボルト締め端子の端子装着部からの脱落や、ナットのねじ穴とボルト締め端子のボルト挿通孔との位置ずれなどが防止される。
【図面の簡単な説明】
【００１９】
【図１】本発明の第一の実施形態としての端子接続構造を備えるヒュージブルリンクの要部を示す斜視図。
【図２】図１に示すヒュージブルリンクの要部の平面図。
【図３】図１に示すヒュージブルリンクの要部の正面図。
【図４】図１に示すヒュージブルリンクの要部の分解斜視図。
【図５】図１に示すヒュージブルリンクを構成する端子装着部の要部の斜視図。
【図６】図５に示す端子装着部の要部の平面図。
【図７】図１に示すヒュージブルリンクの要部の平面図であって、接続ボルトで固定する前の仮固定状態を示す図。
【図８】図７に示すヒュージブルリンクの要部を拡大して示す平面図であって、（ａ）がボルト締め端子が正規取付位置に配設された状態を、（ｂ）がボルト締め端子が正規取付位置から変位した状態を、それぞれ示す図。
【発明を実施するための形態】
【００２０】
以下、本発明の実施形態について、図面を参照しつつ説明する。
【００２１】
図１〜３には、本発明の第一の実施形態として、端子接続構造１０を備えた電気回路体としてのヒュージブルリンク１１の一部が示されている。ヒュージブルリンク１１は、図示しない自動車のバッテリーのバッテリーポストに直接取り付けられるものであり、合成樹脂製のケース本体１２に対して、導通部材である後述するバスバー４４，５０などが装着保持された構造を有している。なお、図中では省略されているが、ヒュージブルリンク１１は、過電流によって溶断されるヒューズ部を備えており、ヒュージブルリンク１１に接続された下流側の電気回路（ワイヤハーネス等）の過電流による加熱を防止する機能を有している。以下の説明において、原則として、上下方向とは図３中の上下方向を、幅方向とは図２中の上下方向を、長さ方向とは図２中の左右方向を、それぞれ言う。
【００２２】
より詳細には、ケース本体１２は、図５，６に示すように、上壁部１４と、上壁部１４よりも下方で広がる下壁部１６と、それら上壁部１４と下壁部１６を連結する竪壁部１８とを、一体で備えた段付き形状とされている。
【００２３】
また、上壁部１４の一部で構成されたケース本体１２の角部には、端子装着部１３が設けられており、端子装着部１３にナット収容部２０が形成されている。ナット収容部２０は、上面に開口する略矩形断面の凹所であって、図６に示すように、底面には円形の嵌合穴２２が貫通形成されている。更に、ナット収容部２０の対向する一対の側壁部には、開口部分において対向方向内側に突出する係止爪２４が形成されており、その上面が突出先端に向かって下傾する案内面とされている。
【００２４】
また、ナット収容部２０を備えるケース本体１２の角部には、端子装着部１３から長さ方向で外方に向かって突出する一対の端子回り止め突起２６，２６が形成されている。端子回り止め突起２６は、長さ方向一方（図６中、左方）に向かって突出していると共に、その突出先端部分には上方に向かって所定の長さで突出する当接部２８が設けられている。更に、一対の端子回り止め突起２６，２６が、幅方向（図６中、上下）に所定の距離を隔てて設けられており、それら一対の端子回り止め突起２６，２６の間には、一対の端子回り止め突起２６，２６の対向面とナット収容部２０の周壁外面とによって壁面を構成された端子収容溝３０が、長さ方向一方に開口しながら上下に延びて形成されている。
【００２５】
さらに、端子装着部１３の一対の端子回り止め突起２６，２６には、それぞれ変位規制部としての変位規制突部３２が突設されている。変位規制突部３２は、一対の端子回り止め突起２６，２６の内側対向面にそれぞれ一体的に設けられており、当接部２８，２８における端子回り止め突起２６，２６の基端側の端部において、上下に連続して延びるように形成されている。なお、一対の変位規制突部３２，３２は、突出先端側の面が外方に凸の滑らかな湾曲面とされている。
【００２６】
一方、下壁部１６には、バッテリーポスト挿通孔３４が形成されている。このバッテリーポスト挿通孔３４は、ヒュージブルリンク１１を図示しないバッテリーに装着した状態において、図示しないバッテリーポストが下方から挿通されるようになっている。
【００２７】
かくの如き構造とされたケース本体１２の端子装着部１３には、ナット３６が配設されている。ナット３６は、中央にねじ穴３８を備えた筒状部４０を備えると共に、ナット収容部２０に対応する外周面形状を有する鍔部４２が、筒状部４０の軸方向中央部分から外周側に突出して形成されている。そして、ナット３６は、端子装着部１３のナット収容部２０に差し入れられており、鍔部４２がナット収容部２０の側壁内面に係合されることにより、端子装着部１３に対して中心軸回りの回転を阻止された状態で取り付けられている。更に、ナット３６は、鍔部４２が係止爪２４を乗り越えてナット収容部２０に嵌め込まれることにより、ナット収容部２０からの離脱が鍔部４２と係止爪２４との係止によって防止されている。本実施形態のナット３６は、鍔部４２よりも下方に突出する筒状部４０の下部が、ナット収容部２０の嵌合穴２２に嵌め入れられることによって、端子装着部１３に対して軸直角方向で位置決めされている。
【００２８】
また、ケース本体１２には、図１〜３および図７に示すように、第一のバスバー４４が取り付けられている。第一のバスバー４４は、鉄や銅合金などの導電材料で形成された板材であって、平面視において端子装着部１３の外周部分に沿って延びる略Ｌ字形状とされて、ケース本体１２の表面に重ね合わされている。更に、第一のバスバー４４のＬ字コーナー部から突出する傍出部４５が、端子装着部１３のナット収容部２０に配されたナット３６の筒状部４０に重ね合わされており、かかる傍出部４５には、ナット３６のねじ穴３８と同一中心軸上に位置決めされる第一の貫通孔４６が形成されている。なお、第一のバスバー４４における下壁部１６と重ね合わされる部分は、下壁部１６から突出する支持突部４８によって下壁部１６の上方に離隔した位置に支持されている。
【００２９】
また、端子装着部１３には、図４に示すように、第二のバスバー５０が取り付けられている。第二のバスバー５０は、第一のバスバー４４と同様の導電材料で形成された長手板状の部材であって、一端が、バッテリーポストが挿通される導通穴５２を備えて、下壁部１６におけるバッテリーポスト挿通孔３４の開口周縁部分に重ね合わされていると共に、他端が、下壁部１６と第一のバスバー４４の間に挿入されて、連結ねじ５６によって第一のバスバー４４と当接状態で連結されている。これにより、第一のバスバー４４が、第二のバスバー５０を介して、バッテリーポストに導通されるようになっている。
【００３０】
さらに、第一のバスバー４４とナット３６の間には、図４に示すように、コネクタ端子５８が配設されている。コネクタ端子５８は、第一のバスバー４４の傍出部４５とナット３６との間に差し入れられる導通部６０と、導通部６０の端部から下方に向かって突出するタブ端子部６２とを、一体で備えている。そして、導通部６０が第一のバスバー４４に導通されると共に、タブ端子部６２が端子装着部１３の側面に一体的に突設されたコネクタ装着部６３に挿通配置されることによって、コネクタ６４が構成されている。なお、導通部６０には、厚さ方向に貫通する円形の第二の貫通孔６５が形成されている。
【００３１】
また、ケース本体１２の端子装着部１３には、ボルト締め端子６６が装着されるようになっている。ボルト締め端子６６は、導電性の金属などで形成されて、電線６７の端末に導通状態で設けられており、第一のバスバー４４に上方から重ね合わされる接続板部６８と、電線６７に圧着される圧着部７０と、それら接続板部６８と圧着部７０を連結する連結部７２とを、一体で備えている。接続板部６８は、略一定の厚さで延びる長手板状とされていると共に、厚さ方向に貫通するボルト挿通孔７４が形成されている。圧着部７０は、それぞれ略筒形状とされた一対のかしめ部を備えて、全体として眼鏡状の断面形状をもって上下に延びており、各かしめ部に電線６７の端末が挿通されて圧着されることにより電線６７の端末に取り付けられている。連結部７２は、中間部分で屈曲した板状とされており、接続板部６８および圧着部７０と一体形成されて、それら接続板部６８と圧着部７０を互いに略直交方向で延びるように連結している。
【００３２】
さらに、図８（ａ）に示すように、ボルト締め端子６６は、連結部７２の接続板部６８側部分の幅方向両側面が、幅方向に傾斜するテーパ面７６，７６とされており、連結部７２の接続板部６８側の幅寸法（Ｗ）が、圧着部７０側の幅寸法（ｗ）よりも大きくされている。本実施形態では、接続板部６８の連結部７２側部分も、連結部７２から離れるに従って次第に幅広となっている。更にまた、一対の変位規制突部３２，３２の離隔寸法（ｄ）が、連結部７２の接続板部６８側の幅寸法よりも小さく、且つ連結部７２の圧着部７０側の幅寸法よりも大きくされている。なお、接続板部６８は、連結部７２と反対側の外周面が略半円柱面とされており、ボルト挿通孔７４の形成部分で幅寸法が最大となっている。
【００３３】
そして、ボルト締め端子６６は、接続板部６８が端子装着部１３の上面に重ね合わされて、接続板部６８のボルト挿通孔７４に挿通される接続ボルト７８がナット３６のねじ穴３８に螺着されることによって、端子装着部１３に固定される。なお、ボルト締め端子６６の連結部７２が一対の端子回り止め突起２６，２６の間（端子収容溝３０）に差し入れられており、接続ボルト７８をナット３６に螺着する際に、ボルト締め端子６６の回転が、連結部７２とその両側に配された一対の端子回り止め突起２６，２６との当接によって制限されている。
【００３４】
また、ボルト締め端子６６は、ボルト挿通孔７４とねじ穴３８が同一中心軸上に位置決めされた正規取付位置に配設されることで、狭幅とされた連結部７２の圧着部７０側が、一対の変位規制突部３２，３２の間に上方から差し入れられる。上述のように、一対の変位規制突部３２，３２の離隔寸法が、連結部７２の圧着部７０側の幅寸法よりも大きくされていることから、正規取付位置において一対の変位規制突部３２，３２が連結部７２の幅方向両側に隙間をもって配されており、連結部７２が一対の変位規制突部３２，３２に干渉しない。
【００３５】
さらに、一対の変位規制突部３２，３２の離隔寸法が、幅広とされた連結部７２の接続板部６８側の幅寸法よりも小さくされていることから、連結部７２の接続板部６８側と一対の変位規制突部３２，３２が、長さ方向の投影において所定の幅寸法で相互に重なり合っている。
【００３６】
そして、図８（ｂ）に示すように、ボルト締め端子６６は、連結部７２が一対の変位規制突部３２，３２に当接して干渉することにより、端子装着部１３に対する相対変位量が制限される。即ち、図８（ａ）に示すように端子装着部１３に対して正規取付位置に配されたボルト締め端子６６が、端子装着部１３に対して長さ方向で圧着部７０側へ相対変位すると、図８（ｂ）に示すように、長さ方向でオーバーラップした連結部７２の接続板部６８側と一対の変位規制突部３２，３２とが相互に当接して干渉する。これにより、ボルト締め端子６６の正規取付位置からの変位が、それら連結部７２の接続板部６８側と一対の変位規制突部３２，３２との干渉によって規制されるようになっている。
【００３７】
このように、本実施形態に係るヒュージブルリンク１１に設けられた端子接続構造１０では、ボルト締め端子６６と端子装着部１３を接続ボルト７８で固定する前の仮組み状態において、ボルト締め端子６６と端子装着部１３の相対変位量が制限される。それ故、ボルト締め端子６６の端子装着部１３に対する脱落や位置ずれが防止される。特に、端子装着部１３側にスタッドボルトではなくナット３６が配設されて、仮組み状態でボルト締め端子６６を端子装着部１３に対して位置決めし難い構造において、ボルト締め端子６６の脱落や位置ずれを防ぐことが可能となる。
【００３８】
また、図８では、ボルト締め端子６６が端子装着部１３に対して長さ方向でスライド変位した場合が例示されているが、例えば、接続板部６８側が幅方向に延びる軸回りで回転変位した場合にも、かかる回転変位が接続板部６８と一対の変位規制突部３２，３２との当接で構成される変位規制手段によって制限され得る。ボルト締め端子６６は、電線６７の重量が圧着部７０側に集中的に及ぼされることから、上記のような回転変位が生じ易いが、接続板部６８が変位規制突部３２に当接して引っ掛かることにより、ボルト締め端子６６の端子装着部１３からの脱落が防止される。
【００３９】
しかも、一対の変位規制突部３２，３２がボルト締め端子６６の幅方向両側に当接することから、ボルト締め端子６６が変位規制突部３２への当接時に反力で傾くなどの不具合も回避されて、接続板部６８が端子装着部１３に重ね合わされた所定の仮組み状態に安定して保持される。加えて、一対の変位規制突部３２，３２に当接するボルト締め端子６６の連結部７２は、幅寸法が長さ方向で次第に変化するテーパ形状とされていることから、連結部７２に変位規制突部３２と係合する切欠きなどを設定する必要がない。それ故、連結部７２における接続板部６８側の形状を簡単にすることができて、製造が容易であると共に、連結部７２の断面積が部分的に小さくなるのを防いで、電気的な特性も有利になり得る。
【００４０】
また、本実施形態では、ボルト締め端子６６の圧着部７０が端子装着部１３の外周面（端子収容溝３０の底面）に重ね合わされていることから、圧着部７０と端子装着部１３の当接によって、ボルト締め端子６６の端子装着部１３に対する長さ方向他端側への相対変位量が制限される。
【００４１】
なお、上記の如くして端子装着部１３に仮組み状態で保持されたボルト締め端子６６は、ボルト挿通孔７４と第一の貫通孔４６と第二の貫通孔６５とに挿通された接続ボルト７８が、ナット３６のねじ穴３８に螺着されることにより、端子装着部１３に固定されるようになっている。本実施形態では、仮組み状態においてボルト締め端子６６の端子装着部１３に対する相対変位量が制限されていることから、ナット３６のねじ穴３８とボルト締め端子６６のボルト挿通孔７４との連通状態が維持されて、接続ボルト７８をねじ穴３８に簡単に螺着させることができる。また、接続ボルト７８によって、第一のバスバー４４とコネクタ端子５８がそれぞれ端子装着部１３に固定されていると共に、ボルト締め端子６６およびコネクタ端子５８が第一のバスバー４４と接触した導通状態に保持されている。
【００４２】
以上、本発明の実施形態について詳述してきたが、本発明はその具体的な記載によって限定されない。例えば、ボルト締め端子の連結部と変位規制部との干渉は、連結部がテーパ形状とされて実現されるものに限定されず、連結部の側面に切欠きが形成されると共に、切欠きに変位規制部が差し入れられて、ボルト締め端子が正規取付位置から変位した際に、変位規制部が切欠きの内面に係合されて干渉するようにしても良い。また、例えば、連結部が段差部で段階的に幅寸法の変化する段付き形状とされて、段差部に変位規制部が当接して干渉するようにもできる。
【００４３】
さらに、ボルト締め端子の具体的な形状は、前記実施形態の記載によって限定的に解釈されるものではない。例えば、前記実施形態のボルト締め端子は、連結部が屈曲したＬ字形端子とされているが、連結部が屈曲せずにストレートに延びて、接続板部と圧着部が略同じ平面上に位置する形状であっても良い。また、ボルト締め端子は、正規取付位置からの変位時に、変位規制部に対して連結部が干渉するものには限定されず、例えば、正規取付位置からの変位時に、接続板部や圧接部が変位規制部に干渉するようにしても良い。
【００４４】
また、変位規制突部は、端子回り止め突起とは別に形成されていても良く、端子回り止め突起は本発明において必須ではない。更に、変位規制突部は、端子回り止め突起と一体形成される場合に、端子回り止め突起の突出基端部分だけに形成される必要はなく、例えば、一対の端子回り止め突起の対向内面全体に突出形成することもできる。また、ナットやバスバー、コネクタ端子、端子装着部を含むケース本体などの構造は、適宜に変更可能である。
【００４５】
また、前記実施形態では、変位規制部として一対の変位規制突部が例示されているが、変位規制部の具体的な構造は特に限定されるものではない。例えば、正規取付位置からの変位時にボルト締め端子に当接して干渉する、一つ或いは三つ以上の突部によって、変位規制部を構成することもできる。
【００４６】
前記実施形態では、電気回路体の一例としてヒュージブルリンクを示したが、各種の電気接続箱などにも、本発明に係る端子接続構造が好適に適用され得る。
【符号の説明】
【００４７】
１０：端子接続構造、１１：ヒュージブルリンク（電気回路体）、１３：端子装着部、２６：端子回り止め突起、３２：変位規制突部（変位規制部）、３６：ナット、３８：ねじ穴、６６：ボルト締め端子、６８：接続板部、７０：圧着部、７２：連結部、７４：ボルト挿通孔、７５：電線、７８：接続ボルト
【図１】
2016018613.tif 000003
【図２】
2016018613.tif 000004
【図３】
2016018613.tif 000005
【図４】
2016018613.tif 000006
【図５】
2016018613.tif 000007
【図６】
2016018613.tif 000008
【図７】
2016018613.tif 000009
【図８】
2016018613.tif 000010